【手続補正書】
【提出日】平成17年11月25日(2005.11.25)
【手続補正１】
【補正対象書類名】特許請求の範囲
【補正対象項目名】全文
【補正方法】変更
【補正の内容】
【特許請求の範囲】
【請求項１】
同期ソースとして複数の非同期ソースの１つを選択するセルラ通信システムにおける方法であって、該方法は、下記を具備する：
第１の非同期ソースからの第１の受信した信号のタイミングに対応する参照値を設定すること；
複数の第２の非同期ソースからの複数の第２の受信した信号それぞれに対するタイミングを決定すること、ここで、第１の非同期ソースからの第１の受信した信号のタイミングと第２の非同期ソースからの第２の受信した信号のタイミングとは非同期である；
スルーイングを実質的に最小にするために未調整の参照値のタイミングに最も近い第２の受信した信号の１つのタイミングに参照値を調整すること；及び
送信のために参照値に信号を同期させること。
【請求項２】
請求項１の方法、ここで、参照値は、第１の非同期ソースからの第１の信号がそれ以上受信されなくなった後で調整される。
【請求項３】
請求項２の方法、ここで、参照値の調整は、第１の非同期ソースからの第１の信号がそれ以上受信されなくなった後で参照値を決定するために同期された信号のタイミングを使用することを具備する。
【請求項４】
請求項１の方法、ここで、第１の非同期ソースからの第１の受信した信号は、フレームを具備し、未調整の参照値は、該フレームの開始に対応する。
【請求項５】
請求項４の方法、ここで、複数の第２の非同期ソースからの第２の受信した信号は、フレームをそれぞれ具備し、調整された参照値は、未調整の参照値に時間で最も近い上記第２の非同期ソースの１つに対するフレームの開始に対応する。
【請求項６】
請求項５の方法、ここで、同期された信号は、参照値の後で送信される。
【請求項７】
請求項１の方法、ここで、第１の非同期ソースからの第１の受信した信号は、複数のマルチパス到着を具備し、そしてここで、未調整の参照値は、時間で第１のマルチパス到着に対応する。
【請求項８】
請求項７の方法、ここで、複数の第２の非同期ソースからの第２の受信した信号は、複数のマルチパス到着をそれぞれ具備し、そしてここで、調整された参照値は、未調整の参照値に時間で最も近い上記第２の非同期ソースの１つの第１のマルチパス到着に対応する。
【請求項９】
同期ソースとして複数の非同期ソースの１つを選択するためのセルラ通信システムにおける方法であって、該方法は、下記を具備する：
第１の非同期ソースからの複数のマルチパス到着を具備する第１の受信した信号から時間で第１のマルチパス到着のフレームの開始に対応する参照値を設定すること；
複数の第２の非同期ソースからの複数の第２の受信した信号のそれぞれに対するタイミングを決定すること、ここで、複数の第２の受信したフレームのそれぞれは複数のマルチパス到着を具備し、そしてここで、第１の非同期ソースからの第１の受信した信号のフレームのタイミングと第２の非同期ソースからの第２の受信した信号のフレームのタイミングとは非同期である；
スルーイングを実質的に最小にするために未調整の参照値のタイミングに最も近い上記第２の受信した信号の１つの第１のマルチパス到着のフレームの開始に対応するように参照値を調整すること；及び
送信のために参照値に信号を同期させること。
【請求項１０】
請求項９の方法、ここで、同期された信号は、参照値の後で送信される。
【請求項１１】
請求項９の方法、ここで、それぞれ第１及び第２の非同期ソースからの第１及び第２の受信した信号は、パイロット信号をそれぞれ具備し、該方法は、下記をさらに具備する：
それぞれのパイロット信号を使用して第１及び第２の非同期ソースからのマルチパス到着のタイミングを決定すること、及び
それぞれ第１及び第２の非同期ソースからの第１及び第２の受信した信号を復調するために決定されたタイミングを使用すること、
ここで、参照値の調整は、下記を具備する：
未調整の参照値に時間で最も近い上記第２の非同期ソースの１つの第１のマルチパス到着を識別するためにマルチパス到着のタイミングを使用すること。
【請求項１２】
同期ソースとして複数の非同期ソースの１つを選択するためのセルラ通信システムにおける装置であって、該装置は、下記を具備する：
第１の非同期ソースからの第１の受信した信号のタイミングに対応する参照値を設定するため、複数の第２の非同期ソースからの複数の第２の受信した信号のそれぞれに対するタイミングを決定するため、スルーイングを実質的に最小にするために未調整の参照値のタイミングに最も近い第２の受信した信号の１つのタイミングに参照値を調整するため、及び送信のために参照値に信号を同期させるために構成されたサーチャ。
【請求項１３】
請求項１２の装置であって、下記をさらに具備する：
それぞれ第１及び第２の非同期ソースからの第１及び第２の信号を受信するために構成された受信機。
【請求項１４】
請求項１２の装置であって、下記をさらに具備する：
同期された信号を送信するために構成された送信機。
【請求項１５】
請求項１４の装置、ここで、同期された信号は、参照値の後で送信される。
【請求項１６】
請求項１５の装置、ここで、サーチャは、下記をさらに具備する：
参照値から時間で遅延されたトリガを発生させるために構成されたオフセット発生器、該トリガは同期された信号を送信するために使用される。
【請求項１７】
請求項１６の装置、ここで、送信機は、下記をさらに具備する：
同期された信号を記憶するために構成されたデータバッファ、該データバッファはトリガに応答して送信のために同期された信号を放出するために構成される。
【請求項１８】
請求項１２の装置、ここで、サーチャは、第１の非同期ソースからの第１の信号がそれ以上受信されなくなった後で参照値を調整するためにさらに構成される。
【請求項１９】
請求項１８の装置、ここで、サーチャは、第１の非同期ソースからの第１の信号がそれ以上受信されなくなった後で同期された信号のタイミングから参照値の調整を決定するためにさらに構成される。
【請求項２０】
請求項１２の装置、ここで、第１の非同期ソースからの第１の受信した信号は、フレームを具備し、そしてここで、サーチャは、該フレームの開始に一致させるように参照値を設定するためにさらに構成される。
【請求項２１】
請求項２０の装置、ここで、複数の第２の非同期ソースからの第２の受信した信号は、フレームをそれぞれ具備し、そしてここで、サーチャは、未調整の参照値に時間で最も近い上記第２の非同期ソースの１つに対するフレームの開始に一致させるように参照値を調整するためにさらに構成される。
【請求項２２】
請求項１２の装置、ここで、第１の非同期ソースからの第１の受信した信号は、複数のマルチパス到着を具備し、そしてここで、サーチャは、時間で第１のマルチパス到着に一致させるように参照値を設定するためにさらに構成される。
【請求項２３】
請求項２２の装置、ここで、複数の第２の非同期ソースからの第２の受信した信号は、複数のマルチパス到着をそれぞれ具備し、そしてここで、サーチャは、未調整の参照値に時間で最も近い上記第２の非同期ソースの１つの第１のマルチパス到着に一致させるように参照値を調整するためにさらに構成される。
【請求項２４】
同期ソースとして複数の非同期ソースの１つを選択するためのセルラ通信システムにおける装置であって、該装置は、下記を具備する：
サーチャは、下記のために構成される：
第１の非同期ソースからの複数のマルチパス到着を具備する第１の受信した信号から時間で第１のマルチパル到着のフレームの開始に対応する参照値を設定する、
複数の第２の非同期ソースからの複数の第２の受信したフレームのそれぞれに対するタイミングを決定する、ここで、複数の第２の受信したフレームのそれぞれは複数のマルチパス到着を具備し、そしてここで、第１の非同期ソースからの第１の受信したフレームのタイミングと第２の非同期ソースからの第２の受信したフレームのタイミングとは非同期である、
スルーイングを実質的に最小にするために未調整の参照値のタイミングに最も近い上記第２の受信した信号の１つの第１のマルチパス到着のフレームの開始に対応するように参照値を調整する、及び
送信のために参照値に信号を同期させる。
【請求項２５】
請求項２３の装置、ここで、第１及び第２の非同期ソースからの受信した信号は、パイロット信号をそれぞれ具備し、そしてここで、サーチャは、それぞれのパイロット信号を使用して第１及び第２の非同期ソースからのマルチパス到着のタイミングを決定するためにさらに構成され、該装置は、該サーチャによって決定されたマルチパス到着のタイミングを使用して該第１及び第２の非同期ソースから受信した信号を復調するために構成されたデモジュレータをさらに具備し、そしてここで、該サーチャは、未調整の参照値に時間で最も近い上記第２の非同期ソースの１つに対するマルチパス到着の決定されたタイミングを使用することによって参照信号の調整を決定するためにさらに構成される。
【請求項２６】
同期ソースとして複数の非同期ソースの１つを選択するためにセルラ通信システムにおいて方法を実行するためにコンピュータプログラムによって実行可能な命令のプログラムを組み込んだコンピュータ読み取り可能なメディアであって、該方法は、下記を具備する：
第１の非同期ソースからの第１の受信した信号のタイミングに対応する参照値を設定すること；
複数の第２の非同期ソースからの複数の第２の受信した信号のそれぞれのタイミングを決定すること、ここで、第１の非同期ソースからの第１の受信した信号のタイミングと第２の非同期ソースからの第２の受信した信号のタイミングとは非同期である；
スルーイングを実質的に最小にするために未調整の参照値のタイミングに最も近い第２の受信した信号の１つのタイミングに参照値を調整すること；及び
送信のために参照値に信号を同期させること。
【請求項２７】
請求項２６のコンピュータ読み取り可能なメディア、ここで、参照値は、第１の非同期ソースからの信号がそれ以上受信されなくなった後で調整される。
【請求項２８】
請求項２７のコンピュータ読み取り可能なメディア、ここで、参照値の調整は、第１の非同期ソースからの第１の信号がそれ以上受信されなくなった後で参照値を決定するために同期された信号のタイミングを使用することを具備する。
【請求項２９】
請求項２６のコンピュータ読み取り可能なメディア、ここで、第１の非同期ソースからの第１の受信した信号は、フレームを具備し、未調整の参照値は、該フレームの開始に対応する。
【請求項３０】
請求項２９のコンピュータ読み取り可能なメディア、ここで、それぞれ第２の非同期ソースからの第１及び第２の受信した信号は、フレームをそれぞれ具備し、調整された参照値は、未調整の参照値に時間で最も近い上記第２の非同期ソースの１つに対するフレームの開始に対応する。
【請求項３１】
請求項２６のコンピュータ読み取り可能なメディア、ここで、第１の非同期ソースからの第１の受信した信号は、複数のマルチパス到着を具備し、そしてここで、未調整の参照値は、時間で第１のマルチパス到着に対応する。
【請求項３２】
請求項３１のコンピュータ読み取り可能なメディア、ここで、複数の第２の非同期ソースからの第２の受信した信号は、複数のマルチパス到着をそれぞれ具備し、そしてここで、調整された参照値は、未調整の参照値に時間で最も近い上記第２の非同期ソースの１つの第１のマルチパス到着に対応する。
【請求項３３】
同期ソースとして複数の非同期ソースの１つを選択するためにセルラ通信システムにおいて方法を実行するためのコンピュータプログラムによって実行可能な命令のプログラムを組み込んだコンピュータ読み取り可能なメディアであって、該方法は、下記を具備する：
第１の非同期ソースからの複数のマルチパス到着を具備する第１の受信した信号から時間で第１のマルチパル到着のフレームの開始に対応する参照値を設定すること、
複数の第２の非同期ソースからの複数の第２の受信した信号のそれぞれに対するタイミングを決定すること、ここで、複数の第２の受信した信号のそれぞれは複数のマルチパス到着を具備し、そしてここで、第１の非同期ソースからの第１の受信した信号のタイミングと第２の非同期ソースからの第２の受信した信号のタイミングとは非同期である、
スルーイングを実質的に最小にするために未調整の参照値のタイミングに最も近い上記第２の受信した信号の１つの第１のマルチパス到着のフレームの開始に対応するように参照値を調整すること、及び
送信のために参照値に信号を同期させること。
【請求項３４】
請求項３２のコンピュータ読み取り可能なメディア、ここで、それぞれ第１及び第２の非同期ソースからの第１及び第２の受信した信号は、パイロット信号をそれぞれ具備し、該方法は、下記をさらに具備する：
それぞれのパイロット信号を使用して第１及び第２の非同期ソースからのマルチパス到着のタイミングを決定すること；及び
それぞれ第１及び第２の非同期ソースからの第１及び第２の受信した信号を復調するために決定されたタイミングを使用すること、
ここで、参照値の調整は、下記を具備する：
未調整の参照値に時間で最も近い上記第２の非同期ソースの１つの第１のマルチパス到着を識別するためにマルチパス到着のタイミングを使用すること。
【請求項３５】
同期ソースとして複数の非同期ソースの１つを選択するためのセルラ通信システムにおける装置であって、該装置は、下記を具備する：
第１の非同期ソースからの第１の受信した信号のタイミングに対応する参照値を設定するための参照手段；
複数の第２の非同期ソースからの複数の第２の受信した信号のそれぞれに対するタイミングを決定するための手段、ここで、第１の非同期ソースからの第１の受信した信号のタイミングと第２の非同期ソースからの第２の受信した信号のタイミングとは非同期である；
スルーイングを実質的に最小にするために未調整の参照値のタイミングに最も近い第２の受信した信号の１つのタイミングに参照値を調整するための調整手段；及び
送信のために参照値に信号を同期させるための手段。
【請求項３６】
請求項３５の装置であって、下記をさらに具備する：
第１及び第２の非同期ソースから信号を受信するための手段。
【請求項３７】
請求項３５の装置であって、下記をさらに具備する：
同期された信号を送信するための送信手段。
【請求項３８】
請求項３５の装置であって、下記をさらに具備する：
参照値の後に同期された信号を送信するための送信手段。
【請求項３９】
請求項３８の装置であって、下記をさらに具備する：
参照値から時間でトリガオフセットを発生するための手段、トリガは同期された信号を送信するための送信手段によって使用される。
【請求項４０】
請求項３９の装置、ここで、送信手段は、下記をさらに具備する：
同期された信号を記憶するためのバッファ手段、該バッファ手段は、トリガに応答して送信のために同期された信号を放出するために構成される。
【請求項４１】
請求項３５の装置、ここで、調整手段は、第１の非同期ソースからの第１の信号がそれ以上受信されなくなった後で参照値を調整する。
【請求項４２】
請求項４１の装置であって、調整手段は、下記をさらに具備する：
第１の非同期ソースからの第１の受信した信号がそれ以上受信されなくなった後で同期された信号のタイミングから参照値の調整を決定するための手段。
【請求項４３】
請求項３５の装置、ここで、第１の非同期ソースからの第１の受信した信号は、フレームを具備し、そしてここで、参照手段は、該フレームの開始に一致させるように参照値を設定する。
【請求項４４】
請求項４３の装置、ここで、複数の第２の非同期ソースからの第２の受信した信号は、フレームをそれぞれ具備し、そしてここで、調整手段は、未調整の参照値に時間で最も近い上記第２の非同期ソースの１に対するフレームの開始に一致させるように参照値を調整する。
【請求項４５】
請求項３５の装置、ここで、第１の非同期ソースからの第１の受信した信号は、複数のマルチパス到着を具備し、そしてここで、参照手段は、時間で第１のマルチパス到着に一致させるように参照値を設定する。
【請求項４６】
請求項４５の装置、ここで、複数の第２の非同期ソースからの第２の受信した信号は、複数のマルチパス到着をそれぞれ具備し、そしてここで、調整手段は、未調整の参照値に時間で最も近い上記第２の非同期ソースの１つの第１のマルチパス到着に一致させるように参照値を調整する。
【請求項４７】
同期ソースとして複数の非同期ソースの１つを選択するためのセルラ通信システムにおける装置であって、該装置は、下記を具備する：
第１の非同期ソースからの複数のマルチパス到着を具備する第１の受信した信号から時間で第１のマルチパル到着のフレームの開始に対応する参照値を設定するための手段、
複数の第２の非同期ソースからの複数の第２の受信した信号のそれぞれに対するタイミングを決定するための手段、
ここで、複数の第２の受信したフレームのそれぞれは、複数のマルチパス到着を具備する、及び
ここで、第１の非同期ソースからの第１の受信した信号のタイミングと第２の非同期ソースからの第２の受信した信号のタイミングとは非同期である、        
スルーイングを実質的に最小にするために未調整の参照値のタイミングに最も近い上記第２の受信した信号の１つの第１のマルチパス到着のフレームの開始に対応させるように参照値を調整するための手段、及び
送信のために参照値に信号を同期させるための手段。
【請求項４８】
請求項４６の装置、ここで、それぞれ第１及び第２の非同期ソースからの第１及び第２の受信した信号は、パイロット信号をそれぞれ具備し、該装置は、それぞれのパイロット信号を使用して第１及び第２の非同期ソースからのマルチパス到着のタイミングを決定するための手段、マルチパス到着のタイミングを使用して第１及び第２の非同期ソースからの第１及び第２の受信した信号を復調するための手段を具備し、そしてここで、調整手段は、未調整の参照値のタイミングに時間で最も近い上記第２の非同期ソースの１つに対するマルチパス到着の決定されたタイミングを使用することによって参照信号を調整する。
【請求項４９】
非同期セルラ通信システムであって、該システムは、下記を具備する：
第１の通信可能領域にわたり第１のパイロット信号フレームを送信する第１の非同期ソース；
アクティブセットに第１の非同期ソースを初めに加え、第１の通信可能領域内である場合に第１のパイロット信号フレームに同期させたアップリンクフレームを送信する目的地局；
第２の通信可能領域にわたり第２のパイロット信号フレームを送信する第２の非同期ソース；及び
少なくとも第２の通信可能領域と部分的に重なる第３の通信可能領域にわたり第３のパイロット信号フレームを送信する第３の非同期ソース、ここで、第１、第２及び第３のソースから送信されたパイロット信号フレームは非同期である、及び
ここで、第１の非同期ソースがアクティブセットから削除される場合、目的地局は、第１の非同期ソースと第３の非同期ソースの１つを選択し、同期ソースに再同期させるために目的地局により必要とされる調整の量が最小になるように、第２のパイロット信号フレームと第１のパイロット信号フレームのタイミングに最も近い第３のパイロット信号フレームのうちの１つからのダウンリンクフレームのタイミングにアップリンクフレームのタイミングを再同期させる。
【請求項５０】
請求項４９に記載のシステム、ここで、目的地局が、同期ソースに再同期させるために必要とされる調整の量が最小になるように、第２のパイロット信号フレームと第１のパイロット信号フレームのタイミングに最も近い第３のパイロット信号フレームのうちの１つからのダウンリンクフレームのタイミングにアップリンクフレームのタイミングを再同期させることは、下記を具備する：
ここで、目的地局は、第２のパイロット信号フレームと当該信号フレーム中では第１の非同期ソースから以前に受信した同じダウンリンクフレームの第１のマルチパス到着の開始のタイミングに最も近いダウンリンクフレームの開始の第１のマルチパス到着である第３のパイロット信号フレームのうちの１つからのダウンリンクフレームのタイミングに再同期させる。
【請求項５１】
請求項１９に記載のシステム、ここで、目的地局は、サーチャをさらに具備し、該サーチャは、下記を具備する：
受信したディジタルベースバンド信号を当該主同期コードシーケンスのローカルに発生されたレプリカと対応させることによりスロットタイミングを推定することによって主同期コードシーケンスを検出する主同期コード検出器、ここで、該主同期コードシーケンスは、各スロットに対して同じである；及び
１若しくはそれより多くのフレームにわたり各スロットにおける当該副同期コードシーケンスを対応させることにより副同期コードシーケンスを検出し、フレーム中の第１のスロットを決定し、及びフレームタイミングを決定するために主同期コード検出器からの推定されたスロットタイミング情報を使用する副同期コード検出器、
ここで、第２のパイロット信号フレームと第１のパイロット信号フレームのタイミングに最も近い第３のパイロット信号フレームのうちの１つは、主同期コードシーケンスと副同期コードシーケンス、及び第２のパイロット信号と第３のパイロット信号の１つから推定されたマルチパスタイミングに基づいて決定される。
【請求項５２】
請求項５１に記載のシステム、ここで、サーチャは、下記をさらに具備する：
副同期コード検出器の出力を受信する直交コード発生器；
ベースバンド信号及び直交コード発生器の出力を受信するパイロット検出器；
当該ソースの中でダウンリンクフレームに対する第１のマルチパス到着が第１の非同期ソースから以前に送信されたダウンリンクフレームに対する第１のマルチパス到着のタイミングに時間で最も近いソースを選択し、及び再同期化のために適切なソースを選択するために使用されるアップリンクフレームタイミングに対応する参照値を設定するタイミング発生器、ここで、参照値は、第１の非同期ソースからのダウンリンクフレームに対する第１のマルチパス到着を導出するために時間でより早く移動されることができる；
第１の非同期ソースからの第１のマルチパス到着に対するフレームタイミングを選択するセレクタ；及び
第１の非同期ソースからの第１のマルチパス到着に対するセレクタから選択されたフレームタイミングを受信する、及び第２のパイロット信号フレームと当該信号フレームの中でダウンリンクフレームの開始の第１のマルチパス到着が第１の非同期ソースから以前に受信した同じダウンリンクフレームの第１のマルチパス到着の開始のタイミングに最も近いタイミングを有する第３のパイロット信号フレームのうちの選択された１つからの対応するダウンリンクフレームの受信からアップリンク送信を遅延させるオフセット発生器。
【請求項５３】
請求項５２に記載のシステム、ここで、目的地局は、複数のフィンガを有するレーキ受信機をさらに具備する、ここで、第１の非同期ソースに対するフィンガ割り当ては、再同期のために適切なソースを選択するために使用される。
【請求項５４】
第１の通信可能領域にわたり第１のパイロット信号フレームを送信する第１の実質的に非同期ソース、第２の通信可能領域にわたり第２のパイロット信号フレームを送信する第２の実質的に非同期ソース、及び少なくとも第２の交信可能領域と部分的に重なる第３の通信可能領域にわたり第３のパイロット信号フレームを送信する第３の実質的に非同期ソース、ここで、第１、第２及び第３のソースから送信されたパイロット信号フレームは、非同期である、を含む非同期セルラ通信システムにおける使用のための目的地局であって、該目的地局は、下記を具備する：
メモリ；
メモリ中に記憶されたアクティブセットに第１の実質的に非同期ソースを初めに加えるプロセッサ；及び
第１の通信可能領域内にある場合に、第１のパイロット信号フレームに同期されたアップリンクフレームを送信する送信機；
プロセッサがアクティブセットから第１の実質的に非同期ソースを削除する場合、ここで、プロセッサは：
第２の実質的に非同期ソース及び第３の実質的に非同期ソースの１つを選択する、及び
再同期させるために必要な調整の量を最小にするために、第２のパイロット信号フレームと第１のパイロット信号フレームのタイミングに最も近い第３のパイロット信号フレームのうちの１つからのダウンリンクフレームのタイミングにアップリンクフレームのタイミングを再同期させる。
【請求項５５】
請求項５４に記載の目的地局、ここで、プロセッサは：
第２のパイロット信号フレームと当該信号フレーム中では第１の実質的に非同期ソースから以前に受信した同じダウンリンクフレームの第１のマルチパス到着の開始のタイミングに最も近いダウンリンクフレームの開始の第１のマルチパス到着である第３のパイロット信号フレームのうちの１つからのダウンリンクフレームのタイミングに再同期させる。
【請求項５６】
請求項５４に記載の目的地局、ここで、プロセッサは、サーチャをさらに具備し、該サーチャは、下記を具備する：
受信したディジタルベースバンド信号を当該主同期コードシーケンスのローカルに発生されたレプリカと対応させることによりスロットタイミングを推定することによって主同期コードシーケンスを検出する主同期コード検出器、ここで、該主同期コードシーケンスは、各スロットに対して同じである；及び
１若しくはそれより多くのフレームにわたり各スロットにおける当該副同期コードシーケンスを対応させることにより副同期コードシーケンスを検出し、フレーム中の第１のスロットを決定し、及びフレームタイミングを決定するために主同期コード検出器からの推定されたスロットタイミング情報を使用する副同期コード検出器、
ここで、第２のパイロット信号フレームと第１のパイロット信号フレームのタイミングに最も近い第３のパイロット信号フレームのうちの１つは、主同期コードシーケンスと副同期コードシーケンス、及び第２のパイロット信号と第３のパイロット信号の１つから推定されたマルチパスタイミングに基づいて決定される。
【請求項５７】
請求項５６に記載の目的地局、ここで、サーチャは、下記をさらに具備する：
副同期コード検出器の出力を受信する直交コード発生器；
ベースバンド信号及び直交コード発生器の出力を受信するパイロット検出器；
当該ソースの中でダウンリンクフレームに対する第１のマルチパス到着が第１の実質的に非同期ソースから以前に送信されたダウンリンクフレームに対する第１のマルチパス到着に時間で最も近いソースを選択し、及び再同期のために適切なソースを選択するために使用されるアップリンクフレームタイミングに対応する参照値を設定するタイミング発生器、ここで、参照値は、第１の実質的に非同期ソースからのダウンリンクフレームに対する第１のマルチパス到着を導出するために時間でより早く移動されることができる；
第１の実質的に非同期ソースからの第１のマルチパス到着に対するフレームタイミングを選択するセレクタ；及び
第１の実質的に非同期ソースからの第１のマルチパス到着に対してセレクタから選択されたフレームタイミングを受信する、及び第２のパイロット信号フレームと当該信号フレーム中でダウンリンクフレームの開始の第１のマルチパス到着が第１の実質的に非同期ソースから以前に受信した同じダウンリンクフレームの第１のマルチパス到着の開始のタイミングに最も近いタイミングを有する第３のパイロット信号フレームのうちの選択された１つからの対応するダウンリンクフレームの受信からアップリンク送信を遅延させるオフセット発生器。
【請求項５８】
請求項５７に記載の目的地局であって、下記をさらに具備する：
複数のフィンガを有するレーキ受信機、ここで、第１の実質的に非同期ソースに対するフィンガ割り当ては、再同期のために適切なソースを選択するために使用される。
【請求項５９】
同期ソースとして複数の実質的に非同期ソースの１つを選択するための装置であって、該装置は、下記を具備する：
下記を実行するために構成されたサーチャ：
第１の実質的に非同期ソースからの第１の受信した信号に基づいて参照値を設定する、
複数の第２の実質的に非同期ソースからの第２の受信した信号のタイミングを決定する、
それによってスルーイングを実質的に最小にするために、未調整の参照値にタイミングで最も近い第２の受信した信号の１つのタイミングに参照値を調整する；及び
送信のために参照値に信号を同期させる、
ここで、第１の受信した信号のタイミングと第２の受信した信号のタイミングとは実質的に非同期である。
【請求項６０】
請求項５９の装置であって、下記をさらに具備する：
それぞれ第１及び第２の実質的に非同期ソースからの第１及び第２の信号を受信するために構成された受信機。
【請求項６１】
請求項５９の装置であって、下記をさらに具備する：
同期された信号を送信するために構成された送信機。
【請求項６２】
請求項６１の装置、ここで、同期された信号は、参照値の後で送信される。
【請求項６３】
請求項６２の装置、ここで、サーチャは、下記をさらに具備する：
参照値から時間で遅延されたトリガを発生させるために構成されたオフセット発生器、該トリガは同期された信号を送信するために使用される。
【請求項６４】
請求項６３の装置、ここで、送信機は、下記をさらに具備する：
同期された信号を記憶するために構成されたデータバッファ、該データバッファはトリガに応答して送信のために該同期された信号を放出するために構成される。
【請求項６５】
請求項５９の装置、ここで、サーチャは、第１の実質的に非同期ソースからの第１の信号がそれ以上受信されなくなった後で参照値を調整するためにさらに構成される。
【請求項６６】
請求項６５の装置、ここで、サーチャは、第１の実質的に非同期ソースからの第１の信号がそれ以上受信されなくなった後で同期された信号のタイミングから参照値の調整を決定するためにさらに構成される。
【請求項６７】
請求項５９の装置、ここで、第１の実質的に非同期ソースからの第１の受信した信号は、フレームを具備し、そしてここで、サーチャは、該フレームの開始に一致させるように参照値を設定するためにさらに構成される。
【請求項６８】
請求項６７の装置、ここで、複数の第２の実質的に非同期ソースからの第２の受信した信号は、フレームをそれぞれ具備し、そしてここで、サーチャは、未調整の参照値に時間で最も近い上記第２の実質的に非同期ソースの１つに対するフレームの開始に一致させるように参照値を調整するためにさらに構成される。
【請求項６９】
請求項５９の装置、ここで、第１の実質的に非同期ソースからの第１の受信した信号は、複数のマルチパス到着を具備し、そしてここで、サーチャは、時間で第１のマルチパス到着に一致させるように参照値を設定するためにさらに構成される。
【請求項７０】
請求項６９の装置、ここで、複数の第２の実質的に非同期ソースからの第２の受信した信号は、複数のマルチパス到着をそれぞれ具備し、そしてここで、サーチャは、未調整の参照値に時間で最も近い上記第２の実質的に非同期ソースの１つの第１のマルチパス到着に一致させるように参照値を調整するためにさらに構成される。
【請求項７１】
同期ソースとして複数の実質的に非同期ソースの１つを選択するための装置であって、該装置は、下記を具備する：
下記を実行するために構成されたサーチャ：
第１の実質的に非同期ソースからの第１の受信した信号のフレームの開始に対応する参照値を設定する、
複数の第２の実質的に非同期ソースからの複数の第２の受信したフレームのそれぞれに対するタイミングを決定する、ここで、第１の受信した信号のタイミングと第２の受信した信号のタイミングとは実質的に非同期である、
それによりスルーイングを実質的に最小にするために、未調整の参照値のタイミングに最も近い第２の受信した信号の１つのフレームの開始に参照値を調整する、及び
送信のために参照値に信号を同期させる。
【請求項７２】
請求項７１の装置、ここで、第１及び第２の実質的に非同期ソースからの複数の受信した信号は、パイロット信号をそれぞれ具備し、そしてここで、サーチャは、それぞれのパイロット信号を使用して第１及び第２の実質的に非同期ソースのタイミングを決定するためにさらに構成され、該装置は、下記をさらに具備する：
サーチャによって決定されたタイミングを使用して第１及び第２の実質的に非同期ソースから受信した信号を復調するために構成されたデモジュレータ、そしてここで、該サーチャは、未調整の参照値に時間で最も近い上記第２の実質的に非同期ソースの１つに対して決定されたタイミングを使用することによって参照信号の調整を決定する。